(57)【特許請求の範囲】
【請求項１】
シートが積載されるシート積載部と、
前記シート積載部から延び、前記シートが搬送される搬送経路に沿って回転自在に軸支され、前記シートの第１面と接触しつつ回転することで、当該シートを所定の搬送方向へ搬送する分離ローラと、
前記分離ローラと対向する位置において、前記シートの第２面側から接触可能に配設され、前記分離ローラと協働して当該シートを一枚ずつに分離する分離部材と、
前記分離部材を前記分離ローラに向かって付勢する付勢部材と、
前記付勢部材の一部を保持するカバー部材と、を有するシート分離装置であって、
前記分離部材は、
平板状に形成され、前記搬送経路と対向する面に、前記シートの第２面と接触する接触面を有する分離片と、
前記分離片における接触面の裏面側に配設され、前記分離片の搬送方向下流側端部よりも更に下流側に延出された延出部を備えるフィルム部材と、により構成され、
前記カバー部材は、
前記分離片よりも搬送方向下流側において、前記搬送経路に向かって突出形成された規制部を有し、
前記カバー部材の規制部は、
前記フィルム部材の延出部が挿通される挿通孔を有し、
前記フィルム部材の延出部は、
前記挿通孔内を移動可能な状態で前記挿通孔を挿通している
ことを特徴とするシート分離装置。
【請求項２】
シートが積載されるシート積載部と、
前記シート積載部から延び、前記シートが搬送される搬送経路に沿って回転自在に軸支され、前記シートの第１面と接触しつつ回転することで、当該シートを所定の搬送方向へ搬送する分離ローラと、
前記分離ローラと対向する位置において、前記シートの第２面側から接触可能に配設され、前記分離ローラと協働して当該シートを一枚ずつに分離する分離部材と、
前記分離部材を前記分離ローラに向かって付勢する付勢部材と、
前記付勢部材の一部を保持するカバー部材と、を有するシート分離装置であって、
前記分離部材は、
平板状に形成され、前記搬送経路と対向する面に、前記シートの第２面と接触する接触面を有する分離片と、
前記分離片における接触面の裏面側に配設され、前記分離片の搬送方向下流側端部よりも更に下流側に延出された延出部を備えるフィルム部材と、により構成され、
前記カバー部材は、
前記分離片よりも搬送方向下流側において、前記搬送経路に向かって突出形成された規制部を有し、
前記カバー部材の規制部は、
前記フィルム部材の延出部端部よりも前記搬送経路側に、前記搬送方向上流側に向かって突出形成された突出部を有し、
前記フィルム部材の延出部は、
前記突出部の先端部よりも、前記搬送方向下流側まで延出されている
ことを特徴とするシート分離装置。
【発明の詳細な説明】
【技術分野】
【０００１】
本発明は、積載されたシートを搬送する際に、分離部材と、分離ローラの協働によりシートを一枚ずつに分離するシート分離装置に関する。
【背景技術】
【０００２】
従来、積層されたシートを所定方向に搬送する際に、当該シートを一枚ずつに分離する機構として、分離ローラと、分離パッドを有するシート分離機構が知られている。このようなシート分離機構では、分離ローラは、シートの一面側と接触しつつ回転し、分離パッドは、シートの他面側から分離ローラに向かって、シートを押圧する。当該シート分離機構は、この分離ローラと、分離パッドの協働により、シートを一枚ずつに分離し得る。
【０００３】
このようなシート分離機構に関する技術として、特許文献1記載の技術が知られている。当該特許文献１記載のシート分離機構は、シートの一面側に接触し、所定方向に回転駆動することで当該シートを搬送する分離ローラと、可撓性を有する薄板状の分離パッドにより構成されている。そして、当該分離パッドは、一端部が所定の取付部に固定され、他端部によってシートの他面側に接触可能に配設されている。従って、当該特許文献１記載のシート分離機構によれば、分離パッドによりシートの他面側から分離ローラに向かって押圧しつつ、分離ローラと接触しているシートを搬送することによって、シートを一枚ずつに分離して搬送し得る。
【先行技術文献】
【特許文献】
【０００４】
【特許文献１】実開昭６２−０８９２３８号公報
【発明の概要】
【発明が解決しようとする課題】
【０００５】
ここで、シート分離機構を有する装置においては、シートを搬送する過程で何らかの要因で、シートが蛇腹状に折れ曲がり、当該シートが分離ローラと分離パッドにより挟まれた状態で、シートのジャムが生じる可能性がある。この時、ユーザは、ジャムを解消するための作業を行うことになるが、特許文献１のようなシート分離機構の場合、ユーザによるジャム解消作業の結果、当該シート分離機構の故障を誘発してしまう場合がある。
【０００６】
この点について、図６、図７を参照しつつ具体的に説明する。図６、図７においては、特許文献１とほぼ同様の構成を有する分離ユニットＳＥが、搬送ユニットＦに配設されているものとし、搬送ユニットＦは、シートＳを所定の搬送方向（図６、図７中、左方向）へ搬送するように構成されているものとする。
【０００７】
図６、図７に示すように、この場合の分離ユニットＳＥは、分離パッドＰと、分離ローラＲＳを有して構成されている。分離パッドＰは、一端部が仕切カバーＣに固定されており、他端部をもって、当該シートＳの他面側からシートＳを分離ローラＲＳに押圧している。従って、当該分離ユニットＳＥであっても、シートＳを一枚ずつに分離しつつ所定の搬送方向に搬送し得る。
【０００８】
上記のように構成された搬送ユニットＦにおいて、何らかの要因（他の部材との接触等）によりシートＳが蛇腹状に折れ曲がり、分離ローラＲＳと分離パッドＰに挟まれた状態で詰まり、ジャムを生じることがある。このような場合、ユーザは、シートＳのジャムを解消すべく、シートＳを前記搬送方向と逆方向（図６中、矢印で示す方向）へ引き抜こうとすることが考えられる。
【０００９】
又、図６に示すように、ジャムの要因となっているシートＳは、蛇腹状に折れ曲がっているため、蛇腹状のシートＳの山部分Ｔが、分離パッドＰの他端部よりも搬送方向下流側の空間に位置する場合がある。そして、この時、蛇腹状のシートＳの山部分Ｔが、当該分離パッドＰの他端部よりも高い場合もある。
【００１０】
そして、当該分離パッドＰの他端部よりも高い蛇腹状のシートＳの山部分Ｔが、分離パッドＰの他端部よりも搬送方向下流側の空間に位置している場合に、シートＳは、ユーザによって、前記搬送方向と逆方向（図６中、矢印で示す方向）へ引き抜かれ得る。この時、分離パッドＰの他端部は、シートＳの引き抜きに伴って、シートＳの山部分Ｔと接触した状態で前記搬送方向と逆方向（図６中、矢印で示す方向）へ移動する。この結果、分離パッドＰは、他端側の先端がシートＳの引き抜きに伴って折れ曲がってしまい、当該分離ユニットＳＥは、シートＳを一枚ずつに分離し得ない状況となってしまう（図７参照）。
【００１１】
本発明は、上述した問題点に鑑みてなされたものであり、分離ローラと分離部材を有するシート分離装置に関し、シートのジャムを解消するためのシートの引き抜き動作に伴う不具合を防止可能なシート分離装置を提供する。
【課題を解決するための手段】
【００１２】
本発明の一側面に係るシート分離装置は、シート積載部と、分離ローラと、分離部材と、付勢部材と、カバー部材とを有し、シート積載部に積載されたシートを、分離ローラと、分離部材との協働により、一枚ずつに分離して所定の搬送方向へ搬送し得る。そして、分離部材は、分離片とフィルム部材により構成され、カバー部材は、規制部を有する。ここで、カバー部材は、分離片よりも搬送方向下流側において、前記搬送経路に向かって突出形成された規制部を有している。従って、蛇腹状に折れ曲がったシートを当該搬送方向に逆らって引き抜く場合であっても、当該シートの山部分は、規制部との接触によりつぶされる。更に、フィルム部材は、分離片の搬送方向下流側端部よりも更に下流側に延出された延出部を有している。つまり、シートの山部分における頂点が、フィルム部材の延出部と接触する為、当該シートの山部分が分離部材における搬送方向下流側端部より上方に位置することはない。即ち、当該シート分離装置によれば、ジャムに伴って、蛇腹状に折れ曲がったシートを当該搬送方向に逆らって引き抜く場合であっても、図６に示すような状況となることはなく、もって、分離部材の折れ曲がり（図７参照）等の不具合の発生を防止し得る。
【００１５】
そして、本発明の他の側面に係るシート分離装置において、前記カバー部材の規制部は、前記フィルム部材の延出部が挿通される挿通孔を有しており、前記フィルム部材の延出部は、前記挿通孔内を移動可能な状態で前記挿通孔を挿通している。即ち、規制部と分離部材の間の空間は、フィルム部材の延出部により遮蔽されるので、当該シート分離装置は、ジャムに伴って、蛇腹状に折れ曲がったシートを当該搬送方向に逆らって引き抜く場合であっても、確実に、図６に示すような状況となることを防止することができ、もって、分離部材の折れ曲がり（図７参照）等の不具合の発生を防止し得る。
【００１６】
又、本発明の他の側面に係るシート分離装置において、前記カバー部材の規制部は、前記フィルム部材の延出部端部よりも前記搬送経路側に、前記搬送方向上流側に向かって突出形成された突出部を有する。従って、当該突出部は、ジャムに伴って、蛇腹状に折れ曲がったシートを当該搬送方向に逆らって引き抜く場合であっても、当該シートの山部分との接触により、シートの山部分を小さくつぶすことができる。又、前記フィルム部材の延出部は、前記突出部の先端部よりも、前記搬送方向下流側まで延出されている。即ち、規制部と分離部材の間の空間は、フィルム部材の延出部と突出部により遮蔽されるので、当該シート分離装置は、ジャムに伴って、蛇腹状に折れ曲がったシートを当該搬送方向に逆らって引き抜く場合であっても、確実に、図６に示すような状況となることを防止することができ、もって、分離部材の折れ曲がり（図７参照）等の不具合の発生を防止し得る。
【図面の簡単な説明】
【００１７】
【図１】多機能機の外観斜視図である。
【図２】シートカバーの構成に関する説明図である。
【図３】第１実施形態に係るシート分離部に関する断面図である。
【図４】第２実施形態に係るシート分離部に関する断面図である。
【図５】第３実施形態に係るシート分離部に関する断面図である。
【図６】シートのジャムが生じた場合のシート分離部に関する説明図（１）である。
【図７】シートのジャムが生じた場合のシート分離部に関する説明図（２）である。
【発明を実施するための形態】
【００１８】
以下、本発明に係るシート分離装置を、シート搬送ユニット４０を有する多機能機１のシート分離部５０に具体化した一実施形態について、図面を参照しつつ詳細に説明する。
【００１９】
（第１実施形態）
先ず、第１実施形態に係る多機能機１の概略構成について、図面を参照しつつ詳細に説明する。尚、以下の説明において、多機能機１使用時のユーザの位置を基準にした方向を用いて説明する。即ち、図１における左下側を前側とし、図１における右上側を後側とする。又、多機能機１を前側から見たときを左右の基準とし、図１における左上側を左側とし、右下側を右側とする。
【００２０】
図１に示すように、多機能機１は、本体筐体１０と、シートカバー３０とを有している。本体筐体１０は、多機能機１における各種機能（スキャナ機能、ファクシミリ機能、プリンタ機能等）を実現するための各種構成部品を、当該本体筐体１０内部に収容している。
【００２１】
又、本体筐体１０は、当該本体筐体１０の前側上面に、複数の操作部を有する操作パネル１１と、種々の情報を表示する液晶ディスプレイ１３を有している。操作パネル１１は、多機能機１に対する種々の指示を入力する際に操作される。そして、本体筐体１０の前面には、給紙カセット１２が脱着可能に取り付けられている。当該給紙カセット１２は、被記録媒体であるシートを積層状態で収容している。
【００２２】
図１、図２に示すように、本体筐体１０は、上面側にスキャナユニット２０を有している。スキャナユニット２０は、原稿載置台として機能するコンタクトガラス２１、イメージセンサ２２、スライド軸、モータ等を備えている（図２参照）。コンタクトガラス２１は、所謂「プラテンガラス」であり、本体筐体１０の左右方向に沿って長辺が位置するＡ４サイズよりもやや大きな長方形状に形成されている。
【００２３】
イメージセンサ２２は、所謂、密着型イメージセンサ（ＣＩＳ：Contact Image Sensor）により構成され、コンタクトガラス２１上に位置する原稿シートの画像を読み取る。当該イメージセンサ２２は、主走査方向（即ち、本体筐体１０における前後方向）がＡ４サイズの短辺に相当する長さの読取範囲を有しており、本体筐体１０の左右方向に向かって伸びるスライド軸によって、左右方向の一定の範囲（Ａ４サイズの長辺寸法に相当する範囲）内をスライド移動可能に保持されている。従って、当該多機能機１は、制御部によるモータの駆動制御に基づいて、イメージセンサ２２をスライド軸に沿ってスライド移動しつつ、コンタクトガラス２１上に載置された原稿シートの画像を読み取り得る。
【００２４】
制御部は、ＣＰＵ、ＲＯＭ、ＲＡＭ等を有しており、多機能機１の各機能に係る制御の中枢を担う。又、制御部は、操作パネル１１と接続されている。従って、制御部は、操作パネルに対するユーザの入力操作に基づいて、ユーザ所望の制御を実行し得る。更に、制御部は、操作パネル１１に対するユーザの入力操作や演算処理結果に基づいて、液晶ディスプレイ１３上に種々の情報を表示し得る。
【００２５】
ファクシミリ部は、スキャナユニット２０により読み取った原稿シートの画像を、ネットワーク網を介して、ユーザ所望の相手先にファクシミリ通信する。又、当該ファクシミリ部は、ネットワーク網を介して、データ（ファクシミリデータ）を受信し得る。受信したファクシミリデータは、制御部によって画像形成部を制御することで、給紙カセット１２内のシート等に印刷出力される。
【００２６】
画像形成部は、制御部による制御に基づいて、入力された画像データを給紙カセット１２内のシートへ印刷出力する。当該多機能機１は、スキャナユニット２０により読み取った画像に基づく画像データを対象として、画像形成部を制御することで、コピー機能を実現する。又、当該多機能機１は、ネットワーク網を介して入力された印刷データを対象として、画像形成部を制御することで、プリンタ機能を実現する。
【００２７】
ここで、シートカバー３０は、本体筐体１０上面の後端縁を軸に開閉自在に配設されており、閉じた場合に本体筐体１０上面（即ち、コンタクトガラス２１）を覆う（図２参照）。従って、シートカバー３０を閉じた場合、当該シートカバー３０は、コンタクトガラス２１上にセットされた原稿シートをその位置に固定し得る。
【００２８】
又、シートカバー３０は、シート積載部３１と、シート搬送ユニット４０（所謂、ADF：Auto Document Feeder）とを有している。シート積載部３１は、シートカバー３０上面の右側部分に形成されており、複数枚の原稿シートを積層状態で載置可能に構成されている。
【００２９】
そして、シート積載部３１は、一対のシートガイド部材３２を当該シート積載部３１の内部に有している。当該シートガイド部材３２は、シート積載部３１内を双方とも前後方向へスライド可能に配設されている。尚、シートガイド部材３２は、連動機構（図示せず）により、一方に連動して他方が一方とは逆方向へスライドするように構成されている。従って、一対のシートガイド部材３２の間隔を変更する際には、一方を操作するだけで、双方を互いに接近又は離間する方向へスライドさせ得る。
【００３０】
更に、シートガイド部材３２は、夫々、仕切板３２Ａを有している。当該仕切板３２Ａは、シート積載部３１の上方において、当該シート積載部３１表面との間に、一定の間隔を隔てるように形成されている。
【００３１】
そして、シート搬送ユニット４０は、シートカバー３０と一体に形成されており、シート分離部５０と、シート搬送部８０を有している（図２等参照）。当該シート搬送ユニット４０は、シート積載部３１に載置された原稿シートを連続して給紙し、シート分離部５０によって、一枚ずつに分離して、当該原稿シートをシート搬送ユニット４０内に形成された所定のシート搬送路Ｒに沿って搬送する。そして、当該多機能機１は、シート搬送ユニット４０により原稿シートを搬送する途中で、スキャナユニット２０等により画像を読み取る方式で、原稿の画像を読み取り得る。
【００３２】
図２に示すように、当該シート搬送路Ｒは、シート積載部３１表面と、シートガイド部材３２の仕切板３２Ａ表面とを接続するように略Ｕ字状に形成されており、シート搬送ユニット４０の左右方向に沿っている。尚、第１実施形態においては、シート積載部３１表面からシート搬送路Ｒに沿って仕切板３２Ａへ向かう方向を原稿シートの搬送方向という。そして、原稿シートの幅方向とは、シート搬送路Ｒを搬送される原稿シートの幅方向（即ち、シート搬送ユニット４０における前後方向）を意味する。
【００３３】
シート分離部５０は、シート搬送路Ｒにおけるシート積載部３１側端部近傍に配設されており、シート積載部３１表面に積載された原稿シートを一枚ずつに分離しつつ、シート搬送部８０に対して搬送する。当該シート分離部５０の構成については、後に図面を参照しつつ詳細に説明する。
【００３４】
シート搬送部８０は、シート分離部５０よりも搬送方向下流側に配設されており、複数の搬送ローラと、複数のピンチローラ等を有している。当該シート搬送部８０は、複数の搬送ローラと、複数のピンチローラ等の回転駆動を制御することにより、シート分離部５０により一枚ずつ分離・搬送された原稿シートを、シート搬送路Ｒに沿って搬送し、シートガイド部材３２の仕切板３２Ａ上へ排出する。
【００３５】
続いて、第１実施形態に係るシート分離部５０の構成について、図３を参照しつつ詳細に説明する。図３に示すように、第１実施形態に係るシート分離部５０は、給紙ローラ５１と、シート接触部材５２と、分離ローラ５３と、分離部材６０と、コイルバネ６５と、仕切カバー７０により構成されている。
【００３６】
給紙ローラ５１は、シート分離部５０における搬送方向上流側においてシート搬送路Ｒを搬送される原稿シートの下面に沿う位置に回転自在に軸支されており、モータ（図示せず）の駆動により、シート積載部３１に載置された原稿シートを搬送方向下流側へ搬送する。シート接触部材５２は、シート搬送路Ｒを介して、給紙ローラ５１と対向する位置に揺動自在に配設されており、給紙ローラ５１上に位置する原稿シートの上面と接触している。当該シート接触部材５２は、シート積載部３１に積載された原稿シートを、給紙ローラ５１に押圧する。又、シート接触部材５２は、シート分離部５０による原稿シートの分離を円滑に行うために、原稿シートを捌く機能を有する。
【００３７】
分離ローラ５３は、給紙ローラ５１よりも搬送方向下流側において、シート搬送路Ｒを搬送される原稿シートの下面に沿う位置に回転自在に軸支されており、モータ（図示せず）の駆動に伴って回転する。そして、当該分離ローラ５３は、分離部材６０と協働することで、一枚の原稿シートのみを分離してシート搬送部８０側（即ち、搬送方向下流側）へ搬送する。
【００３８】
分離部材６０は、シート接触部材５２よりも搬送方向下流側において、シート搬送路Ｒを介して、分離ローラ５３と対向する位置に配設されており、分離パッド６１と、フィルム部材６２により構成される。当該分離部材６０は、略平板状に形成されており、搬送方向上流側の端部が仕切カバー７０に固定され、搬送方向下流側の端部側で、分離ローラ５３上に位置する原稿シートの上面に接触するように配設されている（図３参照）。そして、当該分離部材６０は、当該原稿シートに摩擦力を付与することによって、分離ローラ５３と協働して、原稿シートを一枚ずつに分離する。
【００３９】
分離パッド６１は、所定の可撓性及び摩擦係数を有する材料で構成された薄板状の部材であり、分離ローラ５３上に位置する原稿シートに接触する接触面を有している。即ち、当該分離パッド６１は、分離ローラ５３上に位置する原稿シートの一面（上面）に接触し、当該原稿シートに摩擦力を付与することによって、分離ローラ５３と協働して、原稿シートを一枚ずつに分離する。
【００４０】
フィルム部材６２は、分離パッド６１の接触面の裏面側に貼着されるフィルム状の部材であり、当該分離パッド６１の剛性を高めている。又、当該フィルム部材６２は、分離パッド６１の裏面側に貼着されることにより、分離パッド６１の摩耗によるちぎれを防止すると共に、分離ローラ５３と分離部材６０によるシートの搬送時における振動に伴う異音の発生を防止する機能を果たす。そして、当該フィルム部材６２は、延出部６２Ａを有している。当該延出部６２Ａについては、後述する。
【００４１】
そして、コイルバネ６５は、分離部材６０におけるフィルム部材６２と、仕切カバー７０の間に取り付けられており、当該分離部材６０を分離ローラ５３に向かって付勢している。当該コイルバネ６５の付勢力により、分離部材６０は、分離ローラ５３上に位置する原稿シートの一面（上面）と、確実に接触することとなり、もって、分離ローラ５３と協働して、原稿シートを確実に一枚ずつに分離する。
【００４２】
仕切カバー７０は、シート搬送ユニット４０内部において、上方部分と下方部分を区分する仕切りとして機能すると共に、シート接触部材５２、分離部材６０、コイルバネ６５の取付部材として機能する。図３に示すように、仕切カバー７０は、バネ取付部７１と、規制部７５とを有している。
【００４３】
バネ取付部７１は、仕切カバー７０の下面側から下方に向かって突出形成されており、コイルバネ６５を挿通することで、コイルバネ６５を所定位置に位置決めする。尚、コイルバネ６５は、バネ取付部７１近傍における仕切カバー７０下側表面と、分離部材６０におけるフィルム部材６２により挟持されることで、仕切カバー７０に取り付けられる。そして、規制部７５は、仕切カバー７０の下面側において、分離部材６０よりも搬送方向下流側にあたる部分を、シート搬送路Ｒに向かって突出形成して構成される。
【００４４】
続いて、第１実施形態に係るシート分離部５０における延出部６２Ａと、規制部７５の関係性と機能について説明する。図３に示すように、延出部６２Ａは、分離部材６０を構成する分離パッド６１の搬送方向下流側に位置する端部（即ち、原稿シートと接触可能な端部）よりも、フィルム部材６２の搬送方向下流側に位置する端部を延出して形成される。
【００４５】
従って、フィルム部材６２の延出部６２Ａは、仕切カバー７０の規制部７５近傍まで延出されており、当該延出部６２Ａと規制部７５との間には、ごく僅かな間隙（例えば、２ｍｍ）が生じる。即ち、分離パッド６１と規制部７５の間は、フィルム部材６２の延出部６２Ａによって、ほぼ遮蔽される。
【００４６】
この結果、多機能機１において、原稿シートのジャムが生じ、ジャムに伴って、蛇腹状に折れ曲がったシートを当該搬送方向に逆らって引き抜く場合であっても、分離パッド６１と規制部７５の間は、フィルム部材６２の延出部６２Ａによって、ほぼ遮蔽されている為、蛇腹状の当該原稿シートの山部分における頂点を、確実にフィルム部材６２の延出部６２Ａと接触させ得る。これにより、当該多機能機１によれば、当該原稿シートの山部分は、分離部材６０と規制部７５との間において、分離パッド６１における搬送方向下流側端部より上方に位置することはないため、図６に示すような状況となることはなく、もって、分離部材６０の折れ曲がり（図７参照）等の不具合の発生を防止し得る。
【００４７】
又、延出部６２Ａと規制部７５の間に間隙が形成されている為、分離部材６０は、規制部７５と延出部６２Ａの接触によって、その動作を妨げられることはなく、分離ローラ５３との協働により、確実に原稿シートを一枚ずつに分離し得る。この結果、当該多機能機１は、原稿シートを一枚ずつに分離するという本来の機能を確保しつつ、分離部材６０の折れ曲がり（図７参照）等の不具合の発生を防止し得る。
【００４８】
更に、規制部７５は、延出部６２Ａの端部よりも下方となる位置（即ち、延出部６２Ａよりもシート搬送路Ｒ側の位置）まで突出するように形成されている（図３参照）。これにより、蛇腹状に折れ曲がった原稿シートを当該搬送方向に逆らって引き抜く場合であっても、蛇腹状の当該原稿シートの山部分は、規制部７５との接触により、より小さくつぶされる。従って、当該多機能機１は、確実に、図６に示すような状況となることを防止することができ、もって、分離部材６０の折れ曲がり（図７参照）等の不具合の発生を防止し得る。
【００４９】
（第２実施形態）
次に、上述した第１実施形態と異なる別の実施形態（第２実施形態）について、図面を参照しつつ詳細に説明する。尚、第２実施形態に係る多機能機１は、第１実施形態に係る多機能機１と同一の基本的構成を有しており、シート分離部５０の構成が相違する。従って、第１実施形態と同一の構成に関する説明は省略する。
【００５０】
そして、第２実施形態に係るシート分離部５０は、第１実施形態と同様に、給紙ローラ５１、シート接触部材５２、分離ローラ５３、分離部材６０、仕切カバー７０により構成される。第２実施形態に係るシート分離部５０は、分離部材６０におけるフィルム部材６２と、仕切カバー７０における規制部７５の構成で、上述した第１実施形態と相違する。
【００５１】
図４に示すように、第２実施形態に係る規制部７５は、前記分離部材６０を構成するフィルム部材６２の延長線上に、フィルム挿通孔７５Ａを有している。フィルム挿通孔７５Ａは、規制部７５を貫通して形成されており、後述するようにフィルム部材６２の延出部６２Ａによって挿通される。
【００５２】
そして、第２実施形態に係る延出部６２Ａは、第１実施形態と同様に、分離パッド６１の搬送方向下流側に位置する端部（即ち、シートと接触可能な端部）よりも、フィルム部材６２の搬送方向下流側に位置する端部を延出して形成される。この点、第２実施形態に係る延出部６２Ａは、第１実施形態に係る延出部６２Ａよりも更に搬送方向下流側へ延出して構成されている。これにより、第２実施形態に係る分離部材６０の延出部６２Ａは、フィルム挿通孔７５Ａを挿通して、規制部７５よりも搬送方向下流側（図４中、左側）に位置する。
【００５３】
従って、規制部７５と分離部材６０の間の空間は、フィルム部材６２の延出部６２Ａにより完全に遮蔽される。この結果、当該多機能機１によれば、ジャムに伴って、蛇腹状に折れ曲がった原稿シートを当該搬送方向に逆らって引き抜く場合であっても、確実に、図６に示すような状況となることを防止することができ、もって、分離部材の折れ曲がり（図７参照）等の不具合の発生を防止し得る。
【００５４】
又、図４に示すように、フィルム挿通孔７５Ａは、フィルム部材６２の厚みよりも大きく形成されている。従って、延出部６２Ａは、フィルム挿通孔７５Ａ内をある程度自由に移動し得る。この結果、当該多機能機１においては、分離部材６０の挙動は、延出部６２Ａがフィルム挿通孔７５Ａを挿通していたとしても妨げられることはない。これにより、当該多機能機１は、原稿シートを一枚ずつに分離するという本来の機能を確保しつつ、分離部材６０の折れ曲がり（図７参照）等の不具合の発生を防止し得る。
【００５５】
（第３実施形態）
次に、上述した第１実施形態、第２実施形態と異なる別の実施形態（第３実施形態）について、図面を参照しつつ詳細に説明する。尚、第３実施形態に係る多機能機１は、第１実施形態、第２実施形態に係る多機能機１と同一の基本的構成を有しており、シート分離部５０の構成が相違する。従って、第１実施形態、第２実施形態と同一の構成に関する説明は省略し、これらの相違点についてのみ、図面を参照しつつ説明する。
【００５６】
そして、第３実施形態に係るシート分離部５０は、第１実施形態、第２実施形態と同様に、給紙ローラ５１、シート接触部材５２、分離ローラ５３、分離部材６０、仕切カバー７０により構成される。第３実施形態に係るシート分離部５０は、仕切カバー７０における規制部７５の構成で、上述した第１実施形態、第2実施形態と相違する。
【００５７】
図５に示すように、第３実施形態に係る規制部７５は、当該規制部７５の下端（即ち、シート搬送路Ｒ側の端部）に、突出片７５Ｂを有している。当該突出片７５Ｂは、フィルム部材６２の延出部６２Ａよりも下方（即ち、シート搬送路Ｒ側）において、搬送方向上流側に向かって突出形成されている。従って、当該突出片７５Ｂは、ジャムに伴って、蛇腹状に折れ曲がったシートを当該搬送方向に逆らって引き抜く場合であっても、蛇腹状の当該原稿シートの山部分との接触により、原稿シートの山部分を小さくつぶすことができる。
【００５８】
更に、フィルム部材６２の延出部６２Ａは、突出片７５Ｂの先端よりも、搬送方向下流側まで延出されている。即ち、規制部７５と分離部材６０の間の空間は、フィルム部材６２の延出部６２Ａと、規制部７５の突出片７５Ｂにより遮蔽されるので、当該多機能機１は、ジャムに伴って、蛇腹状に折れ曲がった原稿シートを当該搬送方向に逆らって引き抜く場合であっても、確実に、図６に示すような状況となることを防止することができ、もって、分離部材６０の折れ曲がり（図７参照）等の不具合の発生を防止し得る。
【００５９】
以上、実施形態に基づき本発明を説明したが、本発明は上述した実施形態に何ら限定されるものではなく、本発明の趣旨を逸脱しない範囲内で種々の改良変更が可能である。例えば、本実施形態に係る延出部６２Ａは、フィルム部材６２の端部を、分離パッド６１と規制部７５の間の空間を少なくとも大部分閉塞する為に、搬送方向下流側に向かって延出した構成であればよい。即ち、フィルム部材６２の端部において、全幅を延出する構成であってもよく、一部を延出する構成であってもよい。
【００６０】
又、本実施形態においては、本発明に係るシート分離装置を、ＡＤＦ（Auto Document Feeder）におけるシート分離部５０に適用した場合について説明したが、この態様に限定するものではなく、積層状態で収容されたシートを搬送する際に、シートを一枚ずつ分離し、搬送するものであれば、種々の態様を採用し得る。例えば、プリンタ装置において、シートを積層状態で収容した給紙カセットから、当該シートを印刷機構部へ搬送する際に、シートを一枚ずつ分離し、搬送する機構として、本発明に係るシート分離装置を適用することも可能である。
【００６１】
更に、本実施形態においては、本発明に係るシート分離装置を、多機能機１に適用して説明したが、この態様に限定されるものではなく、上述したように、プリンタ装置に適用してもよい、ＡＤＦを有するスキャナ装置に適用することも可能である。
【符号の説明】
【００６２】
１      多機能機
３０    シートカバー
３１    シート積載部
４０    シート搬送ユニット
５０    シート分離部
５３    分離ローラ
６０    分離部材
６１    分離パッド
６２    フィルム部材
６２Ａ  延出部
６５    コイルバネ
７０    仕切カバー
７５    規制部
【図１】
0005402971.tif 000002
【図２】
0005402971.tif 000003
【図３】
0005402971.tif 000004
【図４】
0005402971.tif 000005
【図５】
0005402971.tif 000006
【図６】
0005402971.tif 000007
【図７】
0005402971.tif 000008